(57)【要約】【課題】清潔な状態を確保しつつ、複数の要介護者に対して迅速に身体洗浄作業を行うことができる身体洗浄用シャワーヘッドを提供する。【解決手段】身体洗浄用シャワーヘッド１Ａは、先端部に複数のミスト供給口が形成された本体部材２と、該本体部材２の先端部に脱着自在に取り付けられた交換ヘッド３と、を備え、前記交換ヘッド３内には、ミスト流路部が貫通状に形成され、該交換ヘッド３が前記本体部材２に取り付けられた状態で、該ミスト流路部の一端が前記ミスト供給口を被覆し、かつ、該ミスト流路部の他端はミスト放出口３２とされて、前記ミスト供給口から供給されたミスト流が、該ミスト流路部を介して該ミスト放出口３２から放出される。【選択図】図１
2016140577.tif 000002
【特許請求の範囲】
【請求項１】
身体洗浄用のミスト流が放出される身体洗浄用シャワーヘッドであって、
先端部に複数のミスト供給口が形成された本体部材と、
該本体部材の先端部に脱着自在に取り付けられた交換ヘッドと、
を備え、
前記交換ヘッド内には、ミスト流路部が貫通状に形成され、該交換ヘッドが前記本体部材に取り付けられた状態で、該ミスト流路部の一端が前記ミスト供給口を被覆し、かつ、該ミスト流路部の他端はミスト放出口とされて、前記ミスト供給口から供給されたミスト流が、該ミスト流路部を介して該ミスト放出口から放出される
ことを特徴とする身体洗浄用シャワーヘッド。
【請求項２】
前記ミスト流路部の内面の少なくとも一部が、前記ミスト放出口に向かうに従い縮径するテーパー面で構成され、該テーパー面が、該ミスト供給口から供給されるミスト流の流圧を受けるミスト流受圧面とされている
請求項１に記載の身体洗浄用シャワーヘッド。
【請求項３】
前記交換ヘッドの外周面であって、前記本体部材側の端部には、該交換ヘッドの軸線周りに一周するフランジが形成されている
請求項１又は請求項２に記載の身体洗浄用シャワーヘッド。
【発明の詳細な説明】
【技術分野】
【０００１】
本発明は、主として要介護者の頭部や陰部等をミストシャワーによって洗浄する際に用いられるシャワーヘッドに関する。
【背景技術】
【０００２】
従来から、高齢であることや、病気であることを理由にベッドで寝たきりの生活をおくる要介護者は、入浴することが困難であるため、介護者によって洗髪、陰部の洗浄、あるいは体全体の清拭等の身体洗浄をしてもらう必要がある。そして、このような身体洗浄は、要介護者の負担をできる限り軽減すべく、ベッド等の寝具に身体を横たえた状態のまま、場所を移動することなく行われることが多い。さらに、このような身体洗浄には、湯を直接要介護者にかけるのではなく、空気中に湯の粒を分散させたミストシャワーを用いることが増えてきている。
【０００３】
上記ミストシャワーを用いた身体洗浄は、使用する水の量が飛躍的に低減されるため、タオルや吸水シート等を要介護者と寝具との間に敷くだけで寝具を濡らすことなく作業を行える。また、敷いたタオルや吸水シート等を作業中に交換する必要がないため、要介護者及び介護者の負担が軽減される。なお、こうしたミストシャワーを要介護者に噴射するためのシャワーヘッドとして、特許文献１、及び特許文献２に示された構成が既に提供されている。
【先行技術文献】
【特許文献】
【０００４】
【特許文献１】特開２０１１−５０８５７号公報
【特許文献２】特開２０１４−７９３２８号公報
【発明の概要】
【発明が解決しようとする課題】
【０００５】
しかしながら、ミストシャワーは、粒径が小さくて空気中に浮遊しやすいこともあり、要介護者に向けて噴射したミストのはね返りがシャワーヘッドに付着しやすいという問題がある。このため、汚れや雑菌等の異物がシャワーヘッドに付着したまま次の要介護者に使用してしまうことを防ぐために、複数の要介護者を連続して身体洗浄を行う場合であっても一人の要介護者の身体洗浄が完了する度にシャワーヘッドを殺菌洗浄する必要があった。しかし、このような作業は極めて煩雑で作業効率が悪く、また、特許文献１、及び特許文献２に開示されている構成のものでは、依然として上記問題を解決することができなかった。
【０００６】
そこで本発明は、清潔な状態を確保しつつ、連続的に複数の要介護者の身体洗浄を迅速かつ簡便に行うことができるシャワーヘッドを提供することを目的とする。
【課題を解決するための手段】
【０００７】
本発明は、身体洗浄用のミスト流が放出される身体洗浄用シャワーヘッドであって、先端部に複数のミスト供給口が形成された本体部材と、該本体部材の先端部に脱着自在に取り付けられた交換ヘッドと、を備え、前記交換ヘッド内には、ミスト流路部が貫通状に形成され、該交換ヘッドが前記本体部材に取り付けられた状態で、該ミスト流路部の一端が前記ミスト供給口を被覆し、かつ、該ミスト流路部の他端はミスト放出口とされて、前記ミスト供給口から供給されたミスト流が、該ミスト流路部を介して該ミスト放出口から放出されることを特徴とする身体洗浄用シャワーヘッドである。
【０００８】
かかる構成にあっては、要介護者の身体に当たってはね返ったミストが仮に前記交換ヘッドに付着したとしても、該交換ヘッドを交換するだけで前記身体洗浄用シャワーヘッドを清潔に保つことができ、前記本体部材は殺菌、あるいは洗浄する必要なく次の要介護者に対して使用することができる。こうして交換された該交換ヘッドは要介護者への身体洗浄作業が終了した後にまとめて殺菌、あるいは洗浄すればよく、作業効率が飛躍的に向上する。なお、前記交換ヘッドからミストを噴出している間は、前記ミスト放出口から常時ミスト流が放出されているため、前記本体部材におけるミスト供給口に、汚れや菌などの異物が付着することがなく、極めて衛生的である。
【０００９】
また、前記ミスト流路部の内面の少なくとも一部が、前記ミスト放出口に向かうに従い縮径するテーパー面で構成され、該テーパー面が、該ミスト供給口から供給されるミスト流の流圧を受けるミスト流受圧面とされていることが望ましい。
【００１０】
かかる構成にあっては、前記ミスト流路部内においてミスト流の一部が前記ミスト流受圧面に衝突することで、より一層粒径の小さいミストが生成される。また、ミスト流がミスト流受圧面に衝突することで、該ミスト流路部内に、上流側へ向かう反射流が形成されることになり、ミストの噴射圧が好適に弱められて、ミスト流の当たりがソフトになる利点がある。また、該ミスト流受圧面によって、ミスト流を前記ミスト放出口方向へ円滑に案内することもできる。さらに、該ミスト放出口の開口面積がミスト供給口の開口面積に比して小さくなるため、該ミスト流路部側へ汚れや菌などの異物が侵入することを効果的に防止することもできる。
【００１１】
さらに、前記交換ヘッドの外周面であって、前記本体部材側の端部には、該交換ヘッドの軸線周りに一周するフランジが形成されていることが望ましい。
【００１２】
かかる構成にあっては、身体洗浄時に飛散したミストが前記交換ヘッドの外周面に付着した場合にも、該フランジ部がミストを堰き止めることで該ミストが本体部材側へ液垂れすることを防止することができる。これにより、前記本体部材の衛生状態を確実に維持することができる。
【発明の効果】
【００１３】
本発明の身体洗浄用シャワーヘッドにあっては、前記交換ヘッドを交換するだけですぐに次の要介護者の身体洗浄を行うことができるため、清潔な状態を確保しつつ、連続的に複数の要介護者の身体洗浄を迅速かつ簡便に行うことができる優れた効果がある。
【図面の簡単な説明】
【００１４】
【図１】実施例１にかかる身体洗浄用シャワーヘッドを示す外観斜視図である。
【図２】実施例１にかかる身体洗浄用シャワーヘッドを示す分解斜視図である。
【図３】実施例１にかかる身体洗浄用シャワーヘッドを分解して示す縦断面図である。
【図４】実施例１にかかる身体洗浄用シャワーヘッドの使用状態を示す説明図である。
【図５】実施例２にかかる身体洗浄用シャワーヘッドを示す分解斜視図である。
【図６】実施例２にかかる身体洗浄用シャワーヘッドを示す縦断面図である。
【発明を実施するための形態】
【００１５】
以下、本発明の身体洗浄用シャワーヘッドを具体化した実施例を詳細に説明する。なお、本発明は、下記に示す実施例に限定されることはなく、適宜設計変更が可能である。
【００１６】
〔実施例１〕
図１，２に示すように、身体洗浄用シャワーヘッド１Ａは、使用者が手で把持する中空円柱状の本体部材２と、該本体部材２の先端部に脱着自在に螺着された交換ヘッド３と、を備えている。なお、該身体洗浄用シャワーヘッド１Ａは、陰部洗浄用として使用される。
【００１７】
さらに詳述すると、図３に示すように、前記本体部材２の基端部には、ミスト流が流入するミスト流入口２１が設けられている。さらに、該ミスト流入口２１には該本体部材２内にミスト流を供給するための図示しないホースが接続される。また該本体部材２の先端部には複数のミスト供給口２２が貫通状に設けられている。したがって該本体部材２内に供給されたミスト流は該ミスト供給口２２から放出されることとなる。
【００１８】
また、図３に示すように、前記交換ヘッド３は、略円筒形で先細り形状をなし、前記本体部材２のミスト供給口２２を被覆するように該本体部材２に脱着自在に取り付けられる。また、該交換ヘッド３の先端開口は、ミスト放出口３２とされている。そして、該交換ヘッド３が該本体部材２に取り付けられた状態において、該ミスト供給口２２と該ミスト放出口３２との間の空間がミスト流路部３３とされる。すなわち、該ミスト供給口２２から流出したミストは該ミスト流路部３３に導入された後、該ミスト放出口３２から放出されることとなる。また、該交換ヘッド３の外周面であって該本体部材２側の端部には、該交換ヘッド３の軸線周りに一周するフランジ３１が突出状に形成されている。
【００１９】
また、前記ミスト流路部３３には、前記ミスト放出口３２に向かうに従い縮径するテーパー面３４が形成されており、該テーパー面３４がミスト流受圧面３５とされている。
【００２０】
例えば、図４に示すように、前記ミスト供給口２２から該ミスト流路部３３に導入されたミスト流の一部は、該ミスト流受圧面３５に当たって該ミスト放出口３２方向へ案内される。これと共に、該ミスト流路部３３を直進するミスト流と混合し、前記ミスト放出口３２から外部へ噴射される。このとき、ミスト流路部３３内にあっては、ミスト流がミスト流受圧面３５に衝突することにより、さらに粒径の小さなミストが生成されると共に、上流側に向かう反射流が形成され、結果的に該ミスト放出口３２から放出されるミスト流の当たりがソフトになるという効果が生まれる。また、該ミスト供給口２２が形成された部位における開口面積よりも前記ミスト放出口３２が形成された部位における開口面積の方が小さいため、該ミスト放出口３２からミストが放出される際にミスト流の流速が速くなり、汚れや菌などの異物が外部から該ミスト流路部３３内へ侵入することが極めて困難となっている。したがって、前記本体部材２のミスト供給口２２には、汚れや菌などの異物が付着しにくい。
【００２１】
なお、図４に示すように、前記身体洗浄用シャワーヘッド１Ａには、ミスト流の飛散を防止すべく、略カップ形状の飛散防止具４０が取り付けられてもよい。かかる構成にあって、該飛散防止具４０の中央に設けた貫通孔４１に前記交換ヘッド３を差し入れて固定するようにした場合には、前記フランジ３１が該貫通孔４１の孔縁に係合して、該身体洗浄用シャワーヘッド１Ａと該飛散防止具４０とが離開してしまうことを防止できる。
【００２２】
ところで、前記身体洗浄用シャワーヘッド１Ａは、一人の要介護者に対する身体洗浄作業が終了すると、前記交換ヘッド３を新しい交換ヘッドに交換して使用する。かかる構成とすることにより、該交換ヘッド３を清潔な状態に維持することができ、継続して次の要介護者に対する身体洗浄作業を行うことができる。なお、交換ヘッド３を交換する際には、前記フランジ３１を掴みながら回して着脱作業を行うことにより、作業を迅速に行うことができる。また、使用済みの交換ヘッド３は、身体洗浄作業が終わった後にまとめて殺菌、あるいは洗浄を行えばよいため、従来に比して作業効率が飛躍的に向上する。
【００２３】
〔実施例２〕
以下、実施例２にかかる身体洗浄用シャワーヘッド１Ｂについて、図５，６に従って説明するが、実施例１にかかる身体洗浄用シャワーヘッド１Ａと同様の構成については説明を簡略又は省略するものとする。
【００２４】
図５に示すように、身体洗浄用シャワーヘッド１Ｂは、ボウル形状の飛散防止部５１を先端に備えた本体部材２を備えている。また、該本体部材２は、前記飛散防止部５１の底部に開口した装着用孔部５２内に螺着される円柱形状の補助部材４１を具備している。そしてさらに、該補助部材４１の外周面に、交換ヘッド３が螺着される。なお、該身体洗浄用シャワーヘッド１Ｂは、洗髪用として使用される。
【００２５】
さらに詳述すると、図６に示すように、前記本体部材２の装着用孔部５２はミスト流が流出する通路となっており、該装着用孔部５２の内周面には、ねじ溝が形成されている。また、前記補助部材４１の外周面にも、ねじ溝が形成されており、該装着用孔部５２内に補助部材４１が螺着されることで、該補助部材４１に貫通状に形成されている複数のミスト供給口２２からミスト流が供給される構成となっている。
【００２６】
また、前記交換ヘッド３の内周面には、ねじ溝が形成されており、前記補助部材４１のミスト供給口２２を被覆するように該補助部材４１に螺着可能となっている。そして、該ミスト供給口２２から流出したミストは該交換ヘッド３内のミスト流路部３３に導入された後、該交換ヘッド３のミスト放出口３２から放出されることとなる。また、該交換ヘッド３の外周面にはフランジ３１が形成されている。
【００２７】
ところで、図５，６に示すように、前記ミスト放出口３２は円孔で構成されていると共に、前記飛散防止部５１における開口５１Ａも、該ミスト放出口３２と同心の円孔で構成されている。また、該飛散防止部５１の開口５１Ａにおける開口面は、該ミスト放出口３２の放出方向に対して垂直な平面ｋ内に含まれている。
【００２８】
加えて、前記放出方向に沿ったミスト放出口３２における中心軸線ＣＬ上において、前記飛散防止部５１の先端部は、該ミスト放出口３２の先端部よりも放出方向側に向かって突出している。例えば、前記中心軸線ＣＬ上における該飛散防止部５１の先端部と該ミスト放出口３２の先端部との距離差ｄは、１ｍｍ以上５ｍｍ以下程度に定められることが望ましい。
【００２９】
かかる構成にあっては、本体部材２の先端に、交換ヘッド３の周囲を取り囲む形状の飛散防止部５１が一体的に形成されているため、洗髪時にミストが周囲に飛散してしまうことを抑制することができる。また、前記中心軸線ＣＬ上において、前記飛散防止部５１の先端部を前記ミスト放出口３２の先端部よりも放出方向側に向かって突出させて、該飛散防止部５１の先端部を要介護者の頭部に当てて洗浄する時に該ミスト放出口３２と頭部表面との間にあえて空隙を形成するようにしているため、作業する際に、交換ヘッド３で集束させたミスト流の流勢がほぼ最大となる位置にちょうど頭部表面を位置させることが可能となる。
【００３０】
なお、これまでに述べた構成にあって、前記本体部材２に前記交換ヘッド３を取り付けるための固定構造は上記構成に限定されることはなく、例えば単に嵌着させた構造であってもよい。また、本体部材２は中空円柱形状に限らず、ミスト流がミスト流入口２１からミスト供給口２２に適切に流れるものであれば例えば内部に流通用ホースが備えられたものであっても構わない。また、該本体部材２の外面には、使用者が握りやすいような凹凸形状が設けられていても構わない。
【符号の説明】
【００３１】
１Ａ，１Ｂ  身体洗浄用シャワーヘッド
２          本体部材
３          交換ヘッド
２１        ミスト流入口
２２        ミスト供給口
３１        フランジ
３２        ミスト放出口
３３        ミスト流路部
３５        ミスト流受圧面
【図１】
2016140577.tif 000003
【図２】
2016140577.tif 000004
【図３】
2016140577.tif 000005
【図４】
2016140577.tif 000006
【図５】
2016140577.tif 000007
【図６】
2016140577.tif 000008